(57)【要約】【課題】表示部および／又は操作部のバックライトを不要時にはＯＦＦ（遮断）して不要な電力消費を回避する携帯電話機およびその表示制御方法を提供する。【解決手段】携帯電話機１０が通話中であるか否かを定期的に光センサ１６又はその他の手段で検出判定して、通話中には表示部１４のＬＣＤ１４ａのバックライト１４ｂおよび表示を遮断する。また、バックライト付操作部のバックライトについても携帯電話機の開閉状態又は通話状態か否かに応じてＯＮ／ＯＦＦ制御する。【選択図】図１
2005278043.tif 000002
【特許請求の範囲】
【請求項１】
操作部および表示部を備え、両端近傍にレシーバおよびマイクが設けられた一体的に形成された携帯電話機の前記表示部を制御する携帯電話機の表示制御方法において、
前記携帯電話機のユーザが通話中か否かを判定することと、前記携帯電話機が通話中と判定されたとき、前記表示部の表示および該表示のバックライトを遮断することとよりなることを特徴とする携帯電話機の表示制御方法。
【請求項２】
前記携帯電話機が通話中か否かの判定は、前記レシーバにユーザの耳が接近しているか否かにより行うことを特徴とする請求項１に記載の携帯電話機の表示制御方法。
【請求項３】
前記携帯電話機が通話中か否かの判定は、前記レシーバにユーザの耳が接触しているか否かにより行うことを特徴とする請求項１に記載の携帯電話機の表示制御方法。
【請求項４】
前記携帯電話機が通話中か否かの判定は、前記マイクが所定レベル以上の音声信号を検出するか否かにより行うことを特徴とする請求項１に記載の携帯電話機の表示制御方法。
【請求項５】
操作部および表示部を備え、両端近傍にレシーバおよびマイクが設けられた一体構造であって、ユーザが把持して使用する携帯電話機において、
前記表示部の表示を選択的にＯＮ／ＯＦＦする表示制御手段およびユーザが通話中か否か判定する通話判定手段を備え、該通話判定手段により通話中と判定されたとき前記表示制御手段により前記表示部の表示およびバックライトをＯＦＦとすることを特徴とする携帯電話機。
【請求項６】
前記通話判定手段は、前記レシーバの近傍に設けられた光センサであり、該光センサによりユーザの耳の接近を検知することを特徴とする請求項５に記載の携帯電話機。
【請求項７】
前記通話判定手段は、前記レシーバの近傍に設けられた圧力センサであり、該圧力センサによりユーザの耳が接触しているか否かを感知することを特徴とする請求項５に記載の携帯電話機。
【請求項８】
前記通話判定手段は、前記マイクからの音声信号を検出するレベル検出器であり、該レベル検出器の検出レベルが予め設定された閾値を超えるとき通話中と判定することを特徴とする請求項５に記載の携帯電話機。
【請求項９】
前記操作部は更にバックライトを備え、前記通話判定手段の判定結果により前記操作部のバックライトもＯＮ／ＯＦＦすることを特徴とする請求項５乃至８の何れかに記載の携帯電話機。
【発明の詳細な説明】
【技術分野】
【０００１】
本発明は携帯電話機に関し、特に液晶表示装置（ＬＣＤ）等の比較的電力消費の大きい表示部を備える携帯電話機およびその表示制御方法に関する。
【背景技術】
【０００２】
携帯電話機は急速に普及し、今や老若男女を問わず多くのユーザの生活必需品となっているといっても過言ではない。携帯電話機は、内蔵する電池により駆動され、比較的サービスエリアの狭い多数の基地局と無線により通信して他の電話機等と通信可能に構成されている。
【０００３】
携帯電話機は、ユーザが電源のＯＮ／ＯＦＦ操作や通信相手の呼出操作に使用する複数のキーを備える操作部および一般的にＬＣＤで構成され、ユーザが操作部を操作して入力している通話相手の電話番号、着信相手の電話番号、通話時間その他の情報を表示する表示部を備えている。更に、携帯電話機は、その両端部の近傍にレシーバ（スピーカ）およびマイクが設けられ、通話相手からの音声信号を音響信号としてユーザの耳へ届け、またユーザの発声を電気信号に変換して無線部を介して無線で送信するよう構成されている。
【０００４】
表示部の主要部であるＬＣＤは、比較的低電圧且つ低消費電力で動作する。しかし、携帯電話機を無照明の夜間その他の条件下で使用可能にするために、ＬＣＤはバックライトが不可欠である。このバックライトは、消費電力が比較的大きい。そこで、携帯電話機の不使用中、特にユーザが一定時間発信しない又は着信がない場合には、内蔵するタイマにより自動的に表示部をＯＦＦとして（更に、他の電子回路も待ち受け又は待機モードに自動切替して）、内蔵する電池の消耗を極力抑えるようにしている。
【０００５】
携帯電話機、特にその消費電力の低減化に関する技術は、多くの技術文献に開示されている。ユーザがキー入力した際の周囲光量を検出するホトセンサを設け、所定値以上の光量があるとき、ＬＣＤのバックライトを消灯して消費電流を削減して通話時間の向上を図る携帯端末が開示されている（例えば、特許文献１参照。）。また、光を検出する光センサを設け、この光センサの検出出力に応じて通話中か否か判断して照明部の照明を減光して節電する携帯電話機及び電力節約方法が開示されている（例えば、特許文献２参照。）。
【０００６】
【特許文献１】特開２００２−２７１０２号公報（第３−４頁、第１図）
【特許文献２】特開２００２−３７４３４８号公報（第３−４頁、第２図）
【発明の開示】
【発明が解決しようとする課題】
【０００７】
ところで、最近の携帯電話機は、通信相手と音声により通話する単なる通話手段としてのみならず、インターネット等にアクセスして電子メールを送受信し又は特定の相手（コンピュータ等を含む）とデータや画像情報を送受信するためにも使用されている。換言すると、携帯電話機の用途のうち、通話（音声による通信）は、急速に少なくなりつつある。携帯電話機のキーを操作して電子メールの送受信又はコンピュータ等とのデータ送受信中には表示部にデータ等の情報を表示する必要がある。しかし、通話中には、ユーザはレシーバを耳に押し当てており、表示部を見ることはできないので、表示部に情報を表示する必要はない。
【０００８】
しかし、従来の携帯電話機は、光センサによる周囲の光量に応じて表示装置の照明又はバックライトを制御（増減）するのみであり、通話中であることを検出して不要な表示部を遮断することにより消費電力を確実に低減することができないという課題があった。また、上記特許文献２に開示される如き従来の携帯電話機では、光センサは、外部からの光を検出することにより表示装置の照明を減光するので、例えばユーザの耳により覆われることによる光レベルの低下ではなく、単に周囲が暗い場合にも通話中と同様の動作を行うこととなり、確実に通話中か否かの判定ができないという課題がある。
【０００９】
本発明は、従来技術の上述した課題に鑑みなされたものであり、通話中であることを検出すると、不要な表示部を完全に遮断することにより、一層確実に消費電力を低減することが可能な携帯電話機およびその表示制御方法を提供することを目的とする。
【課題を解決するための手段】
【００１０】
前述の課題を解決するため、本発明による携帯電話機およびその表示制御方法は次のような特徴的な構成を採用している。
【００１１】
（１）操作部および表示部を備え、両端近傍にレシーバおよびマイクが設けられた一体的に形成された携帯電話機の前記表示部を制御する携帯電話機の表示制御方法において、
前記携帯電話機のユーザが通話中か否かを判定することと、前記携帯電話機が通話中と判定されたとき、前記表示部の表示および該表示のバックライトを遮断する携帯電話機の表示制御方法。
【００１２】
（２）前記携帯電話機が通話中か否かの判定は、前記レシーバにユーザの耳が接近しているか否かにより行う上記（１）の携帯電話機の表示制御方法。
【００１３】
（３）前記携帯電話機が通話中か否かの判定は、前記レシーバにユーザの耳が接触しているか否かにより行う上記（１）の携帯電話機の表示制御方法。
【００１４】
（４）前記携帯電話機が通話中か否かの判定は、前記マイクが所定レベル以上の音声信号を検出するか否かにより行う上記（１）の携帯電話機の表示制御方法。
【００１５】
（５）操作部および表示部を備え、両端近傍にレシーバおよびマイクが設けられた一体構造であって、ユーザが把持して使用する携帯電話機において、
前記表示部の表示を選択的にＯＮ／ＯＦＦする表示制御手段およびユーザが通話中か否か判定する通話判定手段を備え、該通話判定手段により通話中と判定されたとき前記表示制御手段により前記表示部の表示およびバックライトをＯＦＦとする携帯電話機。
【００１６】
（６）前記通話判定手段は、前記レシーバの近傍に設けられた光センサであり、該光センサによりユーザの耳の接近を検知する上記（５）の携帯電話機。
【００１７】
（７）前記通話判定手段は、前記レシーバの近傍に設けられた圧力センサであり、該圧力センサによりユーザの耳が接触しているか否かを感知する上記（５）の携帯電話機。
【００１８】
（８）前記通話判定手段は、前記マイクからの音声信号を検出するレベル検出器であり、該レベル検出器の検出レベルが予め設定された閾値を超えるとき通話中と判定する上記（５）の携帯電話機。
【００１９】
（９）前記操作部は更にバックライトを備え、前記通話判定手段の判定結果により前記操作部のバックライトもＯＮ／ＯＦＦする上記（５）乃至（８）の何れかの携帯電話機。
【発明の効果】
【００２０】
本発明の携帯電話機およびその表示制御方法によると、次の如き実用上の顕著な効果が得られる。即ち、携帯電話機が通話中であると判定されると表示部の表示およびバックライトを遮断（ＯＦＦ）することにより、表示が不要な場合には自動的に表示を遮断して無駄な電力消費を回避して内蔵電池の動作時間を延長することが可能である。更に、操作部がバックライト付のソフトタッチキーの場合には、このバックライトも不要時には遮断（ＯＦＦ）するので、一層電力消費を抑えることが可能である。また、通話中判定は、光センサ、圧力センサ又はユーザの音声レベル検出等により容易且つ確実に行うことが可能である。
【実施例１】
【００２１】
以下、本発明による携帯電話機およびその表示制御方法の好適実施例の構成および動作を、添付図面を参照して詳細に説明する。
【００２２】
先ず、図１は、本発明による携帯電話機の好適実施例の構成を示す機能ブロック図である。図２は、携帯電話機１０の外観を示す正面図である。
【００２３】
この携帯電話機１０は、無線部１１、制御部１２、操作部１３、表示部１４、バックライト駆動回路１５、光センサ１６、光検出部１７およびタイマ１８により構成されている。そして、表示部１４は、ＬＣＤ１４ａおよびＬＣＤ用バックライト１４ｂを含んでいる。また、無線部１１には、アンテナ１９が接続されている。
【００２４】
ここで、無線部１１は、アンテナ１９を介して無線により基地局（図示せず）との間で情報の送受信を行う。制御部１２は、携帯電話機１０の各部の動作を制御する。操作部１３は、複数のキーを備え、ユーザが適宜情報の入力操作および電源のＯＮ／ＯＦＦ操作等を行う。表示部１４は、ユーザが操作部１３を操作して入力した情報および無線部１１を介して送受信する情報等を表示する。この特定例の表示部１４は、ＬＣＤ１４ａにより構成され、それに表示される情報の視認性を改善するために、必要に応じてＬＣＤ用バックライト１４ｂにより照明される。光センサ１６は、後述する如く、レシーバ（又はスピーカ）の近傍に配置され、ユーザの身体の接近を検出する。光検出部１７は、光センサ１６の検出出力を処理する。タイマ１８は、時間を監視する。
【００２５】
次に、図２を参照して説明する。この好適実施例の携帯電話機１０は、折り畳み型であって、略中央のヒンジ部２１を中心に折り畳み可能にされた第１部分２２および第２部分２３により構成される。第１部分２２は、本体部であって、動作電源を供給する電池（図示せず）が内蔵されると共に表面に操作部１３を構成する複数のキーが設けられ、また内部には制御部１２等が配置されている。更に、下端近傍には、マイク２５が配置され、ユーザが発声する音声をピックアップして電気信号に変換する。
【００２６】
一方、第２部分２３には、その表面に表示部１４を構成するＬＣＤ１４ａが配置されている。第２部分２３の上端からアンテナ１９が伸縮可能に配置され、更にその近傍にレシーバ２４および光センサ１６が配置されている。
【００２７】
ユーザは、使用時には携帯電話機１０のヒンジ部２１付近を片手で保持して、操作部１３の操作キーを操作する。例えば、通話時には、ユーザは、操作部１３の操作キーを操作して相手の電話番号を入力し、入力操作の結果を表示部１４のＬＣＤ１４ａの表示で確認後、第２部分２３のレシーバ２４を耳に当て、マイク２５を口の近傍に配置する。
【００２８】
次に、図３のフローチャートを参照して、本発明による携帯電話機１０の動作を説明する。携帯電話機１０がユーザ（又は使用者）による操作部１３の操作により「通話状態」に移行したと仮定する（ステップＡ１）。そこで、光センサ１６による光検出の間欠動作用タイマ１８をリセットする（ステップＡ２）。光センサ１６および光検出部１７により光量を検出する（ステップＡ３）。次に、検出された光量の検出結果を、予め設定された閾値と比較し、閾値以上か否か判定する（ステップＡ４）。検出した光量が閾値以上の場合（ステップＡ４：ＹＥＳ）には、ＬＣＤ１４ａの表示とＬＣＤ用バックライト１４ｂをＯＦＦにする（ステップＡ５）。一方、検出結果が閾値以上でない場合（ステップＡ４：ＮＯ）には、ＬＣＤ１４ａの表示とＬＣＤバックライト１４ｂをＯＮ状態に維持する（ステップＡ６）。その後、ステップＡ７へ移行し、光センサ１６および光検出部１７による検出を停止し、タイマ１８をスタートさせて光量検出の間欠動作に入る。
【００２９】
ここで、図４に示す如く、ユーザが携帯電話機１０を使用して通話のために、そのスピーカ（レシーバ）２４に耳を当てた場合には、光センサ１６が耳で塞がれるため、光量の検出結果が閾値以上となる。その後、光センサ１６および光検出部１７による検出を停止する（ステップＡ７）。そして、ユーザによる通話状態が終了したか否か判定する（ステップＡ８）。通話状態が終了していない場合（ステップＡ８：ＮＯ）には、タイマ１８をスタートさせ、その後上述したステップＡ２へ戻り、光量検出の間欠動作に入る（ステップＡ９）。また、通話状態が終了した場合（ステップＡ８：ＹＥＳ）には、通話状態を終了する（ステップＡ１０）。
【実施例２】
【００３０】
次に、図５〜図７を参照して、本発明による携帯電話機の第２実施例を説明する。図５は、本発明の第２実施例による携帯電話機５０の構成を示すブロック図である。図６は、折り畳み型に構成した携帯電話機５０の外観を示し、（Ａ）はその開状態、（Ｂ）は閉状態である。また、図７は、携帯電話機５０の動作を説明するフローチャートである。
【００３１】
図５に示す如く、この携帯電話機５０は、無線部５１、制御部５２、操作部５３、表示部５４、バックライト駆動回路５５、光センサ５６、光検出部５７、タイマ５８およびアンテナ５９により構成される。操作部５３は、タッチパネル方式の複数の操作キー５３ａおよび操作部用バックライト５３ｂを含んでいる。また、表示部５４は、ＬＣＤ５４ａおよびＬＣＤ用バックライト５４ｂを含んでいる。即ち、第２実施例の携帯電話機５０は、上述した第１実施例の携帯電話機１０と比較して、操作部５３もバックライトで照明されるタッチパネル式である点で相違する。
【００３２】
このように操作部５３に操作部用バックライト５３ｂを設けた場合には、ユーザがレシーバに耳を当てた通話状態で操作部５３を見ながら操作キー５３ａを操作はしない（又はできない）状態になる。そのため、操作部用バックライト５３ｂを上述した第１実施例の動作で説明したＬＣＤ１４ａの表示およびＬＣＤ用バックライト１４ｂのＯＮ／ＯＦＦ制御と同様の動作を行うことにより同様の効果を得ることが可能となる。
【００３３】
図７に示すフローチャートを参照して、図５に示す携帯電話機５０の動作を説明する。尚、この携帯電話機５０は、図６に示す如き折り畳み型とし、図６（Ａ）に示す開状態および（Ｂ）に示す閉状態の認識が可能となる。即ち、この携帯電話機５０は、中央のヒンジ部５１、このヒンジ部５１の一側の第１部分５２および他側の第２部分により構成される。そして、第１部分５２に操作部用バックライト５３ｂを有する操作部５３を配置し、第２部分５３に表示部５４、光センサ５６およびアンテナ５９等を配置する。
【００３４】
図５に示す携帯電話機５０の操作部５３の動作を説明する図７のフローチャートは、図３のフローチャートと同様である。即ち、携帯電話機５０は、待ち受け状態又は着信待ち状態である（ステップＢ１）。次に、タイマ５８をリセットし（ステップＢ２）、光センサ５６および光検出部５７による光量の検出を開始する（ステップＢ３）。そして、検出結果が所定の閾値以上か否か判定する（ステップＢ４）。閾値以上の場合（ステップＢ４：ＹＥＳ）には、携帯電話機５０は、図６（Ｂ）に示す閉状態と認定し、操作部５３の操作部用バックライト５３ｂはＯＦＦとする（ステップＢ５）。一方、検出値が閾値未満である場合（ステップＢ４：ＮＯ）には、携帯電話機５０は、図６（Ａ）に示す開状態と認識し、操作部５３の操作部用バックライト５３ｂをＯＮとする（ステップＢ６）。その後、光センサの検出を終了し（ステップＢ７）、そしてタイマ５８をスタートし（ステップＢ８）、上述したステップＢ２へ戻る。また、この操作部用バックライト５３ｂのＯＮ／ＯＦＦは、通話中か否かに応じてもＯＮ／ＯＦＦ制御可能であること勿論である。
【００３５】
以上、本発明による携帯電話機およびその表示制御方法の好適実施例の構成および動作を詳述した。しかし、斯かる実施例は、本発明の単なる例示に過ぎず、何ら本発明を限定するものではない。本発明の要旨を逸脱することなく、特定用途に応じて種々の変形変更が可能であること、当業者には容易に理解できよう。
【００３６】
例えば、携帯電話機が通話中か否かを判定するには、上述した光センサによることなく、赤外線等による近接検知又は感圧センサによる接触圧感知であってもよい。更に、マイク２５による音声レベル検知により、ユーザの発声を検知して、その検知レベルが予め設定した閾値を超すとき通話中と判断して、表示部のＬＣＤのバックライトおよび／又は操作部の操作部用バックライトをＯＦＦとしてもよい。
【図面の簡単な説明】
【００３７】
【図１】本発明による携帯電話機の第１実施例の構成を示すブロック図である。
【図２】図１の携帯電話機の外観を示す正面図である。
【図３】図１に示す携帯電話機の表示部のＬＣＤバックライトのＯＮ／ＯＦＦ動作を説明するフローチャートである。
【図４】図１に示す携帯電話機でユーザが通話中の状態を示す図である。
【図５】本発明による携帯電話機の第２実施例の構成を示すブロック図である。
【図６】図５に示す携帯電話機の外観を示す側面図であり、（Ａ）は開状態、（Ｂ）は閉状態を示す。
【図７】図５に示す携帯電話機の操作部のバックライトのＯＮ／ＯＦＦ動作を説明するフローチャートである。
【符号の説明】
【００３８】
１０、５０  携帯電話機
１１、５１  無線部
１２、５２  制御部
１３、５３  操作部
１４、５４  表示部
１５、５５  バックライト駆動回路
１６、５６  光センサ
１７、５７  光検出部
１８、５８  タイマ
２４        レシーバ
２５        マイク
【図１】
2005278043.tif 000003
【図２】
2005278043.tif 000004
【図３】
2005278043.tif 000005
【図４】
2005278043.tif 000006
【図５】
2005278043.tif 000007
【図６】
2005278043.tif 000008
【図７】
2005278043.tif 000009